(57)【要約】【課題】  土台脇部からカップ脇側、前中心側上部にかけて、一気にバストを押さえることができ、ノンワイヤータイプであってもワイヤータイプと同様に造形できる、カップ部を有する衣類を提供する。【解決手段】  本発明のカップ部を有する衣類は、一対のカップ１０１、土台部１０２およびバック部１０３を含み、土台部１０２は、一対のカップ部１０１の下辺部に配置され、バック部１０３は、土台部１０２の脇側に取り付けられ、一対のカップ部１０１の双方の脇側下縁部の曲率と、土台部１０２における前記一対のカップ部の脇側下縁部に配置される部分の曲率とが略同一であることを特徴とする。【選択図】  図１
2013023797.tif 000002
【特許請求の範囲】
【請求項１】
カップ部を有する衣類であって、
一対のカップ部、土台部およびバック部を含み、
前記土台部は、前記一対のカップ部の下辺部に配置され、
前記バック部は、前記土台部の脇側に取り付けられ、
前記一対のカップ部の双方の脇側下縁部の曲率と、前記土台部における前記一対のカップ部の脇側下縁部に配置される部分の曲率とが略同一であることを特徴とするカップ部を有する衣類。
【請求項２】
前記一対のカップ部内の脇側部分および前記土台部が、前記一対のカップ部のその他の部分を形成する素材に比べて形状安定性が高い素材で形成されていることを特徴とする、
請求項１記載のカップ部を有する衣類。
【請求項３】
前記一対のカップ部の双方の前中心側下縁部の曲率と、前記土台部における前記一対のカップ部の前中心側下縁部に配置される部分の曲率とが略同一であることを特徴とする、請求項１または２記載のカップ部を有する衣類。
【請求項４】
前記一対のカップ部上辺が、着用時にバストトップ点が隠れるようなバストトップ点際の位置を通る曲線に沿うことを特徴とする、請求項１から３のいずれか一項に記載のカップ部を有する衣類。
【請求項５】
さらに、表カップを含み、
前記表カップが、前記一対のカップ部の肌側と反対側に配置され、
前記表カップが、前記土台部の下辺および脇上辺に固着され、かつ、前記一対のカップ部の下縁部には固着されていないことを特徴とする、
請求項１から４のいずれか一項に記載のカップ部を有する衣類。
【請求項６】
さらに、肩ストラップを含み、
前記肩ストラップは、前記表カップの上部に取り付けられ、
前記表カップが、前記カップ部の上辺に重なる位置から前記肩ストラップの取り付け位置までの領域の少なくとも一部において、伸縮性が高い素材で形成されていることを特徴とする、請求項５記載のカップ部を有する衣類。
【請求項７】
前記表カップのバストを覆う部分が、非伸縮性または難伸縮性の素材で形成されていることを特徴とする、請求項６記載のカップ部を有する衣類。
【請求項８】
衣類がブラジャーであることを特徴とする、請求項１から７のいずれか一項に記載のカップ部を有する衣類。
【請求項９】
衣類が、さらに衣類本体部を有することを特徴とする、請求項１から７のいずれか一項に記載のカップ部を有する衣類。
【発明の詳細な説明】
【技術分野】
【０００１】
本発明は、カップ部を有する衣類に関する。
【背景技術】
【０００２】
ブラジャー等のカップ部を有する衣類としては、カップ部の下縁部にワイヤーを配置したワイヤータイプの衣類と、ワイヤーを有していないノンワイヤータイプの衣類がある。ノンワイヤータイプの衣類は、ワイヤータイプの衣類に比べて、着用感が楽であるという利点がある。しかし、ノンワイヤータイプのブラジャーでは、ワイヤーによる補正効果がないため、造形力が不十分であった。そのため、バストの谷間ができない、脇がすっきりしない、バストトップが寄せられず離れたままである、横長なバストシルエットになる、バストが持ち上がらない、などの問題があった。ブラジャー着用時にバストを寄せて、良好な造形性を得るための技術としては、カップ部に裏当を設け、前記裏当を体側部から人体中央部にかけて順次、低伸張部、中立部、高伸張部とすることにより、カップ部内で脇側を押えてバストを寄せる技術が提案されている（例えば、特許文献１参照）。また、土台脇側を含めた体側部側の身頃体に低伸張部を形成することにより、バストを寄せる技術が提案されている（例えば、特許文献２参照）。
【先行技術文献】
【特許文献】
【０００３】
【特許文献１】特開平８−２４６２０４号公報
【特許文献２】特開２００７−１６２１４６号公報
【発明の概要】
【発明が解決しようとする課題】
【０００４】
しかし、ノンワイヤータイプのブラジャーでは、カップ部内で脇側を押えようとしても、ワイヤーでバージスラインが規定されていないために、バスト脇を押さえて中央に寄せる力が十分に得られないという問題がある。また、バスト脇側に隣接する体側部を押さえても、体側部から前中心方向に働くバストを寄せる力がカップ部で分断されるため、バストを寄せる力は十分に得られない。そのため、効果的にバストを寄せて造形するためには、上記の技術では十分とはいえなかった。
【０００５】
そこで、本発明は、土台脇部からカップ脇側、前中心側上部にかけて、一気にバストを押さえることができ、ノンワイヤータイプであってもワイヤータイプと同様にバストを造形できる、カップ部を有する衣類を提供することを目的とする。
【課題を解決するための手段】
【０００６】
前記目的を達成するために、本発明のカップ部を有する衣類は、
カップ部を有する衣類であって、
一対のカップ部、土台部およびバック部を含み、
前記土台部は、前記一対のカップ部の下辺部に配置され、
前記バック部は、前記土台部の脇側に取り付けられ、
前記一対のカップ部の双方の脇側下縁部の曲率と、前記土台部における前記一対のカップ部の脇側下縁部に配置される部分の曲率とが略同一であることを特徴とする。
【発明の効果】
【０００７】
本発明のカップ部を有する衣類は、一対のカップ部の双方の脇側下縁部の曲率と、土台部における前記一対のカップ部の脇側下縁部に配置される部分の曲率とが略同一である。そのため、脇側において、土台部からカップ部にかけての屈曲がなく、土台脇部からカップ脇側、前中心側上部にかけて、押す力が分断されずに一気にバストを押さえることができる。これにより、本発明のカップ部を有する衣類は、ノンワイヤータイプであってもワイヤータイプと同様にバストを造形できる。
【図面の簡単な説明】
【０００８】
【図１】図１は、本発明のカップ部を有する衣類の一例である、第１の実施形態に係るブラジャーの斜視図である。
【図２】図２（ａ）、（ｂ）は、前記第１の実施形態に係るブラジャーのカップ部付近の背面図である。
【図３】図３（ａ）は、前記第１の実施形態に係るブラジャーのカップ部および土台部の展開図、図３（ｂ）は、従来のブラジャーの一例のカップ部および土台部の展開図である。
【図４】図４は、前記第１の実施形態に係るブラジャーの変形例のカップ部付近の背面図である。
【図５】図５（ａ）、（ｂ）は、本発明のカップ部を有する衣類の一例である、第２の実施形態に係るブラジャーの斜視図である。
【図６】図６は、本発明のカップ部を有する衣類の一例である、第３の実施形態に係るブラジャーのカップ部付近の背面図である。
【図７】図７は、本発明のカップ部を有する衣類の一例である、第４の実施形態に係るブラジャーの正面図である。
【図８】図８は、前記第４の実施形態に係るブラジャーをＩ―Ｉ方向に見た断面図である。
【図９】図９（ａ）、（ｂ）は、本発明のカップ部を有する衣類の一例である、第５の実施形態に係るブラジャーのカップ部付近の背面図である。
【図１０】図１０は、本発明のカップ部を有する衣類のその他の例を示す斜視図である。（ａ）は、第６の実施形態に係るブラキャミソールの一例、（ｂ）は、第７の実施形態に係るブラキャミソールの一例、（ｃ）は、前記第７の実施形態に係るブラキャミソールの変形例である。
【図１１】図１１（ａ）、（ｂ）は、カップ下縁部と土台部との縫着方法の一例を示す図である。
【発明を実施するための形態】
【０００９】
本発明のカップ部を有する衣類について、例をあげて説明する。ただし、本発明は、以下の例に限定および制限されない。
【００１０】
（第１の実施形態）
図１および図２に、本発明のカップ部を有する衣類の第１の実施形態に係るブラジャー１００を示す。図１は、ブラジャー１００の斜視図、図２は、ブラジャー１００のカップ部付近の背面図である。本実施形態のブラジャー１００は、一対のカップ部１０１、土台部１０２、一対のバック部１０３および一対の肩ストラップ１０４を備えたいわゆるフルカップのブラジャーである。一対のカップ部１０１の下縁部には、土台部１０２が設けられている。一対のカップ部１０１の下縁部は、バージスラインに沿うように形成されており、土台部１０２によって連結されている。土台部１０２の脇側には、一対のバック部１０３の一端が取り付けられている。一対のバック部１０３の他端は、連結係止部（図示せず）が取り付けられて、背中心付近で着脱自在になっている。
【００１１】
図２（ａ）に示すように、本実施形態において、カップ部１０１は、上カップ部用部材１０１Ａおよび下カップ部用部材で構成され、前記下カップ部用部材は、脇側部材１０１Ｂ、中央部材１０１Ｃ、前中心側部材１０１Ｄとで構成されている。前記各部材は、縫着されて固着されている。
【００１２】
図２（ｂ）には、カップ部１０１を構成する部材間の辺について、符号を付して示している。本実施形態のブラジャー１００において、脇側部材１０１Ｂの下縁部（脇側下縁部）Ｌ１の曲率と、土台部１０２における脇側下縁部Ｌ１に配置される部分（脇側上縁部）Ｌ３の曲率とは、略同一である。図３（ａ）に、本実施形態の土台部１０２およびカップ部１０１の展開図を、図３（ｂ）に、従来品のブラジャーの土台部およびカップ部の展開図を示す。図３（ｂ）において、二点鎖線で示すラインは、図３（ａ）におけるＬ１のラインである。図３（ｂ）に示すように、従来のブラジャーでは、土台部の上縁部よりもカップ部の下縁部の曲率を大きくしていた。これにより、土台部とカップ部とを固着した際、土台部とカップ部との固着部分で屈曲して、カップ部の下縁部から立体的に丸みを持たせていた。これに対し、本実施形態では、図３（ａ）に示すように、カップ部１０１の脇側下縁部Ｌ１の曲率と、土台部１０２における脇側上縁部Ｌ３の曲率とが、略同一である。これにより、土台部１０２とカップ部１０１とを固着した際、脇側部分において、土台部１０２からカップ部１０１にかけて、屈曲なくフラットにすることができる。このように、脇側部分において、土台部１０２からカップ部１０１へのつながりがフラットであることにより、土台脇部、カップ脇部および前中心側方向にかけて、バストを押す力が分断されずに働くため、図２で示す矢印方向にバストを一気に押すことができる。
【００１３】
図１１（ａ）、（ｂ）に、カップ部１０１の下縁部と土台部１０２との縫着方法の一例を示す。図１１（ｂ）は、従来の縫着方法の一例である。図１１（ｂ）に示すように、従来は、生地を重ねて縫着しており、生地の縫着部分には段差が生じていた。そこで、本実施形態では、図１１（ａ）に示すように、カップ部１０１の下縁部と土台部１０２とは、生地をつき合わせて縫着されていることが好ましい。図１１（ａ）において、カップ部１０１と土台部１０２との間の波線は、縫着箇所を示す。これにより、カップ部と土台部との間に段差が生じないため、土台部からカップ部にかけてのバストを押す力が分断されるのをより防ぐことができる。カップ部と土台部の端は、強度を高めるため、テープ１０９等でパイピングされていることが好ましい。さらに、縫着部分の強度を高めるために、生地をつき合わせた部分に、マーキゼット等の補強布１１０を重ねて縫着することが好ましい。
【００１４】
本実施形態において、脇側部材１０１Ｂおよび土台部１０２は、カップ部１０１のその他の部分を形成する素材に比べて形状安定性が高い素材で形成されている。前記形状安定性が高い素材として、例えば、適度な剛性があって伸縮性の少ないダブルラッセル、パワーネット、圧縮不織布、樹脂シート等を用いることができる。これにより、土台部１０２からカップ部１０１の脇側にかけて、広い範囲でバストを押さえることができる。そして、この押さえる力が、前述のとおり、土台脇部、カップ脇部および前中心側方向にかけて分断されずに働く。
【００１５】
本実施形態において、バストを押さえることができるようにするために、土台部１０２には一定程度の幅を有していることが好ましい。この幅は、約１．０〜５．０ｃｍの範囲であることが好ましく、製造効率の観点から、約１．５〜２．０ｃｍの範囲であることがより好ましい。
【００１６】
本実施形態において、脇側部材１０１Ｂは、丸みが出ないような形状に設計されている。これにより、バストの脇側が平らな面で押さえられるため、バストの脇側をさらに押さえることができる。
【００１７】
本実施形態において、上カップ部用部材１０１Ａと脇側部材１０１Ｂとが合わさる辺Ｌ９、および、脇側部材１０１Ｂと中央部材１０１Ｃとが合わさる辺Ｌ１０においても、各部材の曲率が略同一であることが好ましい。これにより、脇側部分において、土台部１０２からカップ部１０１へのつながりがフラットであることに加え、カップ脇側もフラットにすることができるため、バストを前中心側に寄せる効果をより高めることができる。
【００１８】
本実施形態のブラジャーにおいて、前中心側部材１０１Ｄの下縁部（前中心側下縁部）Ｌ２の曲率と、土台部１０２における前中心側下縁部Ｌ２に配置される部分（前中心側上縁部）Ｌ４の曲率とは、略同一である。これにより、前中心側においても、土台部１０２からカップ部１０１にかけて、屈曲なくフラットになるため、脇側から寄せてきたバストを押さえず、前中心側にボリュームを出すことができる。
【００１９】
本実施形態のブラジャーにおいて、中央部材１０１Ｃおよびバストトップ周辺部は、肌側と反対側にゆるやかに凸となるように、丸みを帯びている。これにより、寄せてきたバストに丸みをつけ、きれいなシルエットに整えることができる。
【００２０】
中央部材１０１Ｃおよびバストトップ周辺部に丸みを付けるためには、上カップ部用部材１０１Ａと中央部材１０１Ｃとが合わさる辺Ｌ１１、中央部材１０１Ｃと前中心側部材１０１Ｄとが合わさる辺Ｌ１２、前中心側部材１０１Ｄと上カップ部用部材１０１Ａとが合わさる辺Ｌ１３、中央部材１０１Ｃと土台部１０２とが合わさる辺（カップ部の中央下縁部）Ｌ１４において、各部材が、縫着後に丸みが出るパターンで形成されていることが好ましい。
【００２１】
本実施形態のブラジャーにおいて、中央部材１０１Ｃ、前中心側部材１０１Ｄに使用する素材は、特に制限されないが、肌当たりが柔らかい素材を用いることが、着用感を良くする点で好ましい。前記柔らかい素材としては、例えば、不織布、ウレタン、ダンボールニット、パワーネット等を用いることができる。
【００２２】
本実施形態のブラジャーでは、左右のカップ部１０１におけるそれぞれのバストトップ点Ｔ同士の間隔が狭く設定されている。従来では、ノンワイヤータイプのブラジャーでは、造形力がないため、左右のバストのバストトップが離れ、横長なシルエットになっていた。一方、左右のバストのバストトップを寄せるために、カップ部のバストトップ点の間隔を狭く設定しても、従来のノンワイヤータイプのブラジャーではバストを寄せることができないため、カップ部とバストがフィットせず、きれいなシルエットをつくることができなかった。これに対し、本発明によれば、前述のとおり、ノンワイヤータイプのブラジャーであるにもかかわらず、バストを土台脇側から前中心側にかけて押して寄せることができる。このため、左右のカップのバストトップ点同士の間隔を狭く設計しても、寄せられたバストがカップにフィットする。これにより、横長なバストシルエットになるのを防ぎ、きれいなシルエットをつくることができる。
【００２３】
本実施形態のブラジャーでは、連結係止部として、ホック（例えば、フック・アンド・アイ（鈎ホック））を使用することができるが、他の種類の係止具を使用してもよい。また、バック部１０３が連結係止部を有していなくてもよい。例えば、連結係止部を前中心に設けてフロントホックタイプとしてもよい。また、連結係止部がないタイプ、バック部を結んで係止するタイプであってもよい。
【００２４】
連結係止部としては、ホック（例えば、フック・アンド・アイ（鈎ホック））、グリッパー、ボタン、紐、面ファスナーなどを、デザインや用途に応じて適宜選択して使用することができる。なお、上記のフック・アンド・アイやグリッパー、ボタンを用いる場合には、複数の留め位置を予め設けておくことにより、締め付け具合を微調整できるようにしておくことも好ましい。なお、上記以外の他の種類の係止具を使用してもよい。
【００２５】
本実施形態においては、肩ストラップ１０４の一端はカップ部１０１に取り付けられ、他端はバック部１０３の上辺部に取り付けられた円環、Ｚ環、エイト環などの係止具１０８Ａを通って反転し、エイト環からなる長さ調節具１０８Ｂに導入されることによって、肩ストラップ１０４の長さ調整が可能な状態で、肩ストラップ１０４の他端側が、バック部１０３の上辺部に取り付けられている。また、肩ストラップ１０４の一端は、バック部１０３の上辺部に直接固着されても良い。肩ストラップ１０４の態様はこれに限定されず、例えば、前記一対のカップ部１０１の上部同士を互いに繋ぐように取り付けられている、いわゆる「ホルターネック」タイプであってもよい。肩ストラップ１０４の取り付け位置は、カップ部１０１の形状やブラジャーのデザインによって決定することができる。肩ストラップ１０４は、カップ部１０１を肩から吊り下げるものであればよい。紐や布テープであってもよいし、タンクトップのような幅の広い、いわゆるラウンドタイプのストラップであってもよい。肩ストラップ１０４の態様は一対のカップ部１０１に対応して一対の肩ストラップ１０４をそれぞれカップ部１０１上部とバック部１０３に取り付ける態様に限定されず、例えば、スポーツタイプのブラジャーの肩ストラップのように、背中側で２本の肩ストラップ１０４が一体となりバック部１０３に取り付けられる態様であってもよい。
【００２６】
なお、本実施形態において、カップ部１０１は、部材を接ぎ合わせて形成されているが、本発明はこれに限られず、カップ部１０１が一体成型されていてもよい。また、カップ部のみではなく、土台部およびカップ部が一体成型されていてもよい。
【００２７】
以上、第１の実施形態としては、フルカップのブラジャーを例示して説明したが、本発明は、３／４カップや１／２カップのブラジャー等にも適用することができる。
【００２８】
図４に、前記第１の実施形態に係るブラジャー１００の変形例（ブラジャー２００）を示す。図４は、前記変形例のカップ部付近の背面図である。
【００２９】
本例において、カップ部２０１は、上カップ部用部材２０１Ａと、下カップ部用部材とで構成され、下カップ部用部材が、脇側部材２０１Ｂおよび前中心側部材２０１Ｃの２つの部材で構成されている。本例において、脇側部材２０１Ｂの下縁部のうち、脇寄りの一部分Ｌ５の曲率と、土台部１０２における前記下縁部Ｌ５に配置される部分Ｌ７の曲率とが、略同一である。また、前中心側部材２０１Ｃの下縁部のうち、前中心寄りの一部分Ｌ６の曲率と、土台部１０２における前記下縁部Ｌ６に配置される部分Ｌ８の曲率とが、略同一である。その他は、第１の実施形態と同様である。このように、カップ部において、例えば、部材の数や形状等の構成が変更されても、カップ部の脇側下縁部の曲率と、土台部におけるカップ部の脇側下縁部に配置される部分の曲率とを略同一にすることにより、本発明の効果を得ることができる。したがって、本発明は、様々なカップのバリエーションに対応することができる。
【００３０】
（第２の実施形態）
図５に、本発明のカップ部を有する衣類の一例である、第２の実施形態に係るブラジャー３００を示す。図５は、ブラジャー３００の斜視図である。
【００３１】
本実施形態のブラジャー３００は、３／４カップタイプのブラジャーである他は、第１の実施形態と同様であり、同一部分には同一の符号を付して、重複する説明を省略している。図５（ａ）、（ｂ）に示すように、カップ部１０１の各部材は、仕様に応じて、様々な形状にすることができる。このように、本発明は、様々なカップタイプのブラジャーに適用することができる。
【００３２】
（第３の実施形態）
図６に、本発明のカップ部を有する衣類の一例である、第３の実施形態に係るブラジャー４００を示す。図６は、ブラジャー４００のカップ部付近の背面図である。
【００３３】
本実施形態において、カップ部４０１は、内カップ４０５と表カップ４０６とで構成されている。内カップ４０５と表カップ４０６とは、任意の位置で固着されており、カップ部４０１の下縁部には、土台部４０２が設けられている。内カップ４０５の上辺は、着用時にバストトップ点が隠れるようなバストトップ点際の位置を通る曲線に沿うように設計されている。その他の内カップ４０５の構造は、前記上辺の形状の変化に合わせて、各部材の形状が変化している点、および肩ストラップが表カップ４０６の上辺についている点の他は、第１の実施形態のカップ部１０１と同様である。これにより、内カップ４０５は、その上辺は、着用時にバストトップが隠れるのに必要なラインを有しつつ、面積を小さくすることができる。こうすることによって、造形力を有する内カップ４０５の面積を小さくすることができるため、より軽い着用感を出すことができる。また、前中心側のバストを覆うのは表カップ４０６のみであるため、前中心側に寄せられたバストがカップによって押さえられることがなく、前中心においてボリュームを出し、かつ、自然なシルエットに整えることができる。本実施形態において、さらに、上脇のバストも寄せたい場合には、上カップ部用部材１０１Ａにも前記形状安定性が高い素材を用いることが好ましい。
【００３４】
本実施形態では、表カップ４０６を有する場合について説明したが、本発明は、これに限られず、内カップ４０５のみでカップ部４０１が形成されていてもよい。
【００３５】
（第４の実施形態）
図７に、本発明のカップ部を有する衣類の一例である、第４の実施形態に係るブラジャー５００を示す。図７は、ブラジャー５００の正面図である。
【００３６】
本実施形態のブラジャー５００において、カップ部５０１は、内カップ５０５と表カップ５０６とで構成されている。本実施形態の内カップ５０５は、第３の実施形態の内カップ４０５とほぼ同一の概念のもとに設計されている。本実施形態のブラジャー５００において、表カップ５０６は、土台部５０２の下辺Ｐ１および脇上辺Ｐ２に固着され、かつ、内カップ５０５の下縁部には固着されていない。
【００３７】
図８は、ブラジャー５００をＩ−Ｉ方向に見た断面図である。表カップ５０６は、土台部５０２の下辺Ｐ１および脇上辺Ｐ２に固着され、かつ、内カップ５０５の下縁部には固着されていない。すなわち、内カップ５０５と表カップ５０６とは、分離している。これにより、表カップ５０６を引き上げる力を、土台部５０２の下辺Ｐ１からカップ部全体にかけることができる。前記表カップを引き上げる力は、土台部５０２を支点として、内カップ５０５下部を押し上げることができる。そのため、土台部５０２のずり上がりを防ぎつつ、バストを土台部５０２付近から持ち上げることができる。また、内カップ５０５の下縁部を引き上げるのではなく、内カップ５０５とは別の部材である表カップ５０６によってバストを持ち上げるため、カップ部下縁部がずり上がってバージスラインとずれてしまったり、カップ部が引きつれたりすることなく、バストを持ち上げることができる。これにより、本実施形態では、バストを前中心に寄せることができるのに加え、さらに、バストを持ち上げることができるため、造形力をより高めることができる。なお、表カップ５０６と内カップ５０５とは、前記の他、さらに、バック部１０３の取り付け位置である脇側において固着されていてもよい。
【００３８】
本実施形態においては、表カップ５０６は、内カップ５０５の上辺に重なる位置から、肩ストラップ１０４の取り付け位置までの領域の少なくとも一部において、伸縮性が高い素材で形成されている伸縮部５０６Ａを有するが、本発明はこれに限定されない。伸縮部５０６Ａに使用される素材としては、例えば、パワーネット、ストレッチ織物、フライス、天竺、ストレッチレース等があげられる。これにより、肩ストラップ１０４のバストを持ち上げる力を、表カップ５０６に効率よく伝えることができる。また、伸縮部５０６Ａが着用者の動きに合わせて伸縮するため、カップまたは土台部１０２がずり上がるのを防ぐことができる。伸縮部５０６Ａは、前記範囲内において広く設けるほど、表カップ５０６の安定性を高めることができる。
【００３９】
本実施形態において、表カップ５０６に使用する素材は、特に制限されないが、非伸縮性または難伸縮性の素材で形成されていることが好ましい。前記難伸縮性の素材は、前記伸縮部５０６Ａに使用される素材よりも伸縮性が低いものであればよい。前記非伸縮性または難伸縮性の素材としては、例えば、織物、チュールレース等を用いることができる。これにより、表カップ５０６に、内カップ５０５ごとバストを引き上げる力を付与することができる。また、このように、本発明は、表カップに使用できる素材が幅広いため、デザインの自由度を高めることができる。
【００４０】
（第５の実施形態）
図９に、本発明のカップ部を有する衣類の一例である、第５の実施形態にかかるブラジャー６００を示す。図９は、ブラジャー６００のカップ部付近の裏面図である。
【００４１】
本実施形態では、内カップ６０５の肌側にパッド受けが設けられており、パッドを使用できる。その他は、第４の実施形態と同様である。図９（ａ）に示すブラジャー６００は、内カップ６０５の肌側面全面とほぼ同じ面積のパッド受け６１０Ａを有し、前記肌側面の略中央部にパッドを挿入するための開口部を有している。また、図９（ｂ）に、パッド受け６１０Ａの変形例であるパッド受け６１０Ｂを有する場合を示す。パッド受け６１０Ｂは、内カップ６０５の脇側に設けられ、前中心側が開口部となっている。パッド受け６１０Ｂは、上辺を内側（内カップ側）に折り返して形成されていてもよい。この折り返し部分の内側にパッドを入れ込んで装着してもよいし、前記開口部からパッドを挿入し、パッド受け６１０Ｂと内カップ６０５との間に挟み込んで装着してもよい。このように、パッドを使用することにより、バストを脇から押さえる力をさらに付加することができる。
【００４２】
（第６の実施形態）
次に、図１０（ａ）に本発明のカップ部を有する衣類のその他の例として、ブラキャミソール７００の斜視図を示す。
【００４３】
このブラキャミソール７００のブラジャー相当部分は、図１で説明したブラジャー１００とほぼ同一の概念のもとに設計されている。本態様においては、ブラキャミソール７００が、土台部１０２の下側に、身頃７０１を有している。本例では、身頃７０１が本発明におけるバック部を兼ねているが、バック部を別途設けてその下に身頃７０１を取りつけてもよい。その他の態様は図１に示したブラジャー１００と実質上同一であり、同一部分には同一の符号を付して、重複する説明を省略している。ここでは、第１の実施形態に係るブラジャー１００とほぼ同一概念のもとに設計されたブラジャー相当部分を有するブラキャミソールについて説明したが、本発明はこれに限定されず、他の実施形態に係るブラジャー相当部分を有するブラキャミソールとすることもできる。
【００４４】
（第７の実施形態）
図１０（ｂ）に本発明のカップ部を有する衣類のその他の例として、ブラキャミソール８００の斜視図を示す。このブラキャミソール８００は、キャミソールの身頃内側にブラジャー相当部分が設けられており、前記ブラジャー相当部分は、図６で示したブラジャー４００の内カップ４０５および土台部４０２とほぼ同一の概念のもとに設計されている。本実施形態においては、ブラキャミソール８００は、ブラジャー相当部分を覆うように身頃８０１を有している。そして、内カップ４０５の上部と身頃部８０１とは、テープ状部材８０８によって係止されている。また、バック部１０３は連結係止部を有しておらず、連結係止部の操作をすることなく着脱ができる態様である。ここでは、第３の実施形態に係るブラジャー４００の内カップ４０５および土台部４０２とほぼ同一概念のもとに設計されたブラジャー相当部分を有するブラキャミソールについて説明したが、本発明はこれに限定されず、他の実施形態に係るブラジャー相当部分を有するブラキャミソールとすることもできる。本実施形態の構成にすることにより、カップ部のデザインにかかわらず、着用時の外観のバリエーションを多様にすることができる。また、カップ部が、アウター着用時において、アウターのシルエットに影響を及ぼすことを軽減できる。
【００４５】
図１０（ｃ）に、ブラキャミソール８００の変形例（ブラキャミソール９００）を示す。本例において、身頃部９０１は、ブラジャー相当部を覆う部分と、その下に取り付けられる部分とに分かれ、前記ブラジャー相当部を覆う部分は、２枚の略三角形状の部材が、前中心部において一部が交差して重なるようにして設けられている。その他は、ブラキャミソール８００と同様である。このように、本発明は、様々なバリエーションの衣類に用いることができる。
【００４６】
以上、実施の形態の具体例として、ブラジャー、およびブラキャミソールをあげて本発明を説明したが、本発明のカップ部を有する衣類は、これらの具体例で記載されたもののみに限定されるものではなく、種々の態様が可能である。例えば、上記の実施形態のようなファンデーション衣類以外にも、ボディスーツ、ブラスリップ、水着、レオタード、その他各種のカップ部を有する衣類に適用できる。また、前中心を係脱自在のホックで連結するフロントホックタイプの衣類にも適用できる。そして、上記では、実施の具体例として、ノンワイヤータイプのカップ部を有する衣類について説明したが、本発明は、ワイヤータイプのカップ部を有する衣類にも適用できる。
【産業上の利用可能性】
【００４７】
本発明のカップ部を有する衣類は、種々の態様が可能である。例えば、上記の実施形態のようなファンデーション衣類以外にも、スポーツ衣類、アウターなど、各種のカップ部を有する衣類に適用できる。
【符号の説明】
【００４８】
１００、２００、３００、４００、５００、６００  ブラジャー
１０１、２０１、４０１、５０１  カップ部
１０１Ａ、２０１Ａ  上カップ部用部材
１０１Ｂ、２０１Ｂ  脇側部材
１０１Ｃ  中央部材
１０１Ｄ、２０１Ｃ  前中心側部材
１０２、４０２、５０２  土台部
１０３  バック部
１０４  肩ストラップ
１０８Ａ  係止具
１０８Ｂ  長さ調節具
１０９  テープ
１１０  補強布
４０５、５０５、６０５  内カップ
４０６、５０６  表カップ
５０６Ａ  伸縮部
６１０Ａ、６０１Ｂ  パッド受け
７００、８００、９００  ブラキャミソール
７０１、８０１、９０１  身頃部
８０８  テープ状部材
Ｐ１  土台部下辺
Ｐ２  脇上辺
Ｌ１、Ｌ５  カップ部の脇側下縁部
Ｌ２、Ｌ６  カップ部の前中心側下縁部
Ｌ３、Ｌ７  土台部の脇側上縁部
Ｌ４、Ｌ８  土台部の前中心側上縁部
Ｌ９、Ｌ１０、Ｌ１１、Ｌ１２、Ｌ１３  内カップ部材間の辺
Ｌ１４  カップ部の中央下縁部
Ｔ  バストトップ点
【図１】
2013023797.tif 000003
【図２】
2013023797.tif 000004
【図３】
2013023797.tif 000005
【図４】
2013023797.tif 000006
【図５】
2013023797.tif 000007
【図６】
2013023797.tif 000008
【図７】
2013023797.tif 000009
【図８】
2013023797.tif 000010
【図９】
2013023797.tif 000011
【図１０】
2013023797.tif 000012
【図１１】
2013023797.tif 000013